(57)【特許請求の範囲】
【請求項１】
被施術者の下瞼に固定する基部と、該基部に立設され上瞼側へ回動可能な壁体部とを備え、該壁体部の回動方向前方の面を施術面とするまつ毛用カーラーを用い、上記壁体部を上瞼の上位まで回動させ上記施術面を上瞼に対向させて、カール対象のまつ毛のカール状態を形成することを特徴とするまつ毛のカール方法。
【請求項２】
さらに被施術者の上瞼にパーマロッドを固定し、該パーマロッドでカール対象のまつ毛を下支えしつつ、上記まつ毛用カーラーでカール状態を形成することを特徴とする請求項１記載のまつ毛のカール方法。
【請求項３】
被施術者の下瞼に固定する基部と、該基部に立設された壁体部を備え、該壁体部はカール対象のまつ毛が生えている上瞼側へ回動可能であり、該壁体部の回動方向前方の面をまつ毛をカールさせるための施術面とすることを特徴とするまつ毛用カーラー。
【請求項４】
上記壁体部の施術面に上記カール対象のまつ毛を受け入れる溝を刻設したことを特徴とする請求項３記載のまつ毛用カーラー。
【請求項５】
上記壁体部は湾曲変形可能であることを特徴とする請求項３又は請求項４に記載のまつ毛用カーラー。
【請求項６】
上記壁体部の施術面を凹曲面としたことを特徴とする請求項３乃至請求項５に記載のまつ毛用カーラー。
【請求項７】
上記壁体部の回動位置を固定する固定手段を設けたことを特徴とする請求項３乃至請求項６の何れかに記載のまつ毛用カーラー。
【発明の詳細な説明】
【技術分野】
【０００１】
本発明は、上瞼に生えているまつ毛にパーマネント・ウェーブ（permanent wave：以下、略して「パーマ」という。）を施す際に、まつ毛をカールさせる方法及び当該カール方法に用いるまつ毛用カーラーに関するものである。
【背景技術】
【０００２】
従来、ミュラー・リヤー錯視等の錯視を利用して目を大きく見せることを目的とし、まつ毛の先端をできるだけ目から離した位置に保持するために、特に上瞼のまつ毛をカールさせることが一般的に行われている。そして、まつ毛のカール状態をできるだけ長持ちさせるために、頭髪と同様にまつ毛にパーマを施すことも一般的に行われている。
【０００３】
まつ毛にパーマを施すにあたり、下記特許文献１に開示されているように、まつ毛をパーマロッドと称される、被施術者の上瞼に固定して使用する器具を利用してカールさせる方法が既知である。
【先行技術文献】
【特許文献】
【０００４】
【特許文献１】特許第３６１２３２２号公報
【発明の概要】
【発明が解決しようとする課題】
【０００５】
上記特許文献１のカール方法のように、断面円形の棒状のパーマロッド（特許文献１：図４Ａ）でまつ毛をカールさせるには、所望のカールの曲率とまつ毛の長さの関係から、接着剤を介してパーマロッドの周面（施術面）にまつ毛を巻き付けつつ接着し固定する必要がある（特許文献１：段落〔００３９〕、図８・図９等）。
【０００６】
しかしながら、まつ毛への接着剤の付着は、パーマ用薬剤のまつ毛内への浸透にムラを生じさせ、カール状態の保持にバラツキを生じさせる原因となる。加えて、接着剤が被施術者の目の中に入ってしまう恐れがあると共に、パーマロッドへ接着したまつ毛を丁寧に剥がす作業が必須となり施術時間が徒に長くなってしまう。
【０００７】
また、上瞼上において、まつ毛は目頭側から目尻側へ一列に生えているわけではなく、上下に多少ばらついて生えているため、上記特許文献１のカール方法にあっては、図１７（Ａ）に示すように、まつ毛１０（１０ａ・１０ｂ・１０ｃ）の生えている位置によってパーマロッドＰの施術面との距離が異なることとなり、それに伴い、まつ毛の根元からパーマロッドの施術面への固定部分までの長さ、つまりまつ毛の根元からカール箇所までの長さＬ１・Ｌ２・Ｌ３や、パーマロッドの施術面へ対するまつ毛の固定角度が不均一となってしまう。よって、図１７（Ｂ）に示す如く、特にまつ毛１０ｃのように根元からカール箇所までの長さＬ３が長い場合には当該まつ毛１０ｃの先端を目から離した位置に持ってくることができず、したがって適切な仕上がりを期待できない恐れがある。
【課題を解決するための手段】
【０００８】
本発明は、従来のカール方法のように接着剤を使用することがないと共に、まつ毛の生え位置にかかわらず所望のカール状態を形成することができる画期的なカール方法を提供する。また、当該画期的なカール方法に最適なまつ毛用カーラーを提供する。
【０００９】
要述すると、本発明に係るまつ毛のカール方法は、被施術者の下瞼に固定する基部と、該基部に立設され上瞼側へ回動可能な壁体部とを備え、該壁体部の回動方向前方の面を施術面とするまつ毛用カーラーを用い、上記壁体部を上瞼の上位まで回動させ上記施術面を上瞼に対向させて、カール対象のまつ毛のカール状態を形成することにより、接着剤レスで、各まつ毛に均一なカール状態を付与することができる。
【００１０】
さらに被施術者の上瞼にパーマロッドを固定し、該パーマロッドでカール対象のまつ毛を下支えしつつ、上記まつ毛用カーラーでカール状態を形成することにより、カール対象のまつ毛が不用意に動いたり変形したりするのを適切に防止しつつカール状態を付与することができる。
【００１１】
また、本発明に係るまつ毛用カーラーは、被施術者の下瞼に固定する基部と、該基部に立設された壁体部を備え、該壁体部はカール対象のまつ毛が生えている上瞼側へ回動可能であり、該壁体部の回動方向前方の面をまつ毛をカールさせる施術面とする構成により、上記壁体部を回動して施術面を上瞼に対向させれば、容易且つ適切にまつ毛をカールさせることができると共に、各まつ毛の生え位置に起因するカール状態のバラツキを解消することができる。
【００１２】
好ましくは、上記壁体部の施術面に上記カール対象のまつ毛を受け入れる溝を刻設することにより、各まつ毛に指向性を付与すると共に、各まつ毛を有効にカールさせることができる。
【００１３】
また、上記壁体部が湾曲変形可能であることにより、上記施術面を凹曲面にする等の変形が可能となり、上記施術面を凹曲面とすることにより、自然なカール状態を形成することができると共に、適切に上瞼に対向させることができる。
【００１４】
好ましくは、上記壁体部の回動位置を固定する固定手段を設けることにより、効果的に施術面の位置を保持することができる。
【発明の効果】
【００１５】
本発明に係るまつ毛のカール方法によれば、下瞼側から行う画期的な方法により、接着剤を使用することなくカール状態を形成することができ、まつ毛の長さや生え位置に起因するカール状態のバラツキを有効に解消することができると共に、カール対象のまつ毛を根元部から確実にカールさせることができる。
【００１６】
また、本発明に係るまつ毛用カーラーによれば、上述した本発明に係るカール方法を容易且つ適切に実施することができる。
【図面の簡単な説明】
【００１７】
【図１】実施例１に係るまつ毛用カーラーの斜視図である。
【図２】実施例１に係るまつ毛用カーラーの正面図である。
【図３】実施例１に係るまつ毛用カーラーの背面図である。
【図４】実施例１に係るまつ毛用カーラーを基部を下側にして示す側面図である。
【図５】固定手段を構成する楔部の斜視図である。
【図６】まつ毛用カーラーの楔部受入間隙に楔部を浅めに挿入し壁体部の回動位置を固定した状態を示す側面図である。
【図７】まつ毛用カーラーの楔部受入間隙に楔部を深めに挿入し壁体部の回動位置を固定した状態を示す側面図である。
【図８】壁体部に把手部を設けたまつ毛用カーラーの例を示す側面図である。
【図９】本発明に係るまつ毛のカール方法を説明する側面図であり、（Ａ）はカール対象のまつ毛の根元部を直線状にして根元からカール箇所までの長さを均一にしてカールする方法を楔部を省略して説明する図、（Ｂ）は仕上がり状態を示す説明図である。
【図１０】本発明に係るまつ毛のカール方法を楔部を省略して説明する側面図であり、（Ａ）はカール対象のまつ毛の根元部を撓ましてカールする方法を説明する図であり、（Ｂ）はカール対象のまつ毛の根元からカール箇所までの長さを不均一にしてカールする方法を説明する図である。
【図１１】実施例２に係るまつ毛用カーラーを示す側面図である。
【図１２】実施例２に係るまつ毛用カーラーを示す平面図である。
【図１３】実施例２に係るまつ毛用カーラーを示す斜視図であり、（Ａ）は壁体部の施術面側から見た斜視図、（Ｂ）は壁体部の背面側から見た斜視図である。
【図１４】実施例２に係るまつ毛用カーラーによるカール方法を説明する図である。
【図１５】実施例２に係るまつ毛用カーラーと専用パーマロッドを利用したカール方法を説明する図である。
【図１６】実施例２に係るまつ毛用カーラーと専用パーマロッドを利用したカール方法の他例を説明する図である。
【図１７】従来のまつ毛のカール方法を説明する図であり、（Ａ）はパーマロッドを用いてまつ毛をカールする方法を説明する側面図、（Ｂ）は仕上がり状態を示す説明図である。
【発明を実施するための形態】
【００１８】
本発明に係るまつ毛のカール方法及びまつ毛用カーラーの最適な実施例について、図１乃至図１７に基づき、説明する。説明の便宜上、まつ毛用カーラーから説明し、その後にまつ毛のカール方法について説明する。なお、本書において、「下瞼に固定する」とは、文字通り、「下瞼」に固定することを意味するが、「下瞼」だけに固定するのでなく、その下の頬を含めて「下瞼」に固定することを排除するものではない。
【００１９】
〈実施例１のまつ毛用カーラー〉
実施例１に係るまつ毛用カーラー１は、図１乃至図４に示すように、被施術者の下瞼に固定する基部２と、該基部２に立設された壁体部３を備える。壁体部３は基部２と離間する方向へ回動可能であり、カール対象のまつ毛が生えている上瞼側に回動することができる。また、壁体部３の回動方向前方の面を施術面４とし、該施術面４は後述するように、施術時に上瞼１１に対向する。また、まつ毛用カーラー１は、図２・図３に示すように、基部２は、正面又は背面から見ると、全体的に円弧状に成形されており、カール対象のまつ毛や上瞼に沿う形状を呈している。
【００２０】
好ましくは、基部２及び壁体部３をゴム、シリコン等の可撓性及び弾性を有する材で成形し、その可撓性及び弾性を利用して壁体部３を回動可能且つ湾曲変形可能とする。また、図４に示すように、壁体部３の施術面４とは反対面である背面５には凹凸部５ａを設け、壁体部３の回動を補完することができる。なお、上記説明した凹凸部５ａを背面５ではなく、施術面４に設けることも実施に応じ任意である。
【００２１】
壁体部３の施術面４は、図１・図４に示すように、好ましくは凹曲面とし、後述するように、カール対象のまつ毛１０が生えている上瞼１１に自然に対向するようにする。より好ましくは、図４に示すように、施術面４の基端側（壁体部３の基端側）を曲率の大きい（曲率半径の短い）第一曲面部４ａとし、該第一曲面部４ａに続く曲面部を当該第一曲面部４ａよりも曲率の小さい第二曲面部４ｂとする。このような構成により、第一曲面部４ａで施術面４と瞼との対向間隔を確保すると共に、第二曲面部４ｂを上瞼の形状に自然に沿う形状とすることができる。
【００２２】
また、図１に示すように、施術面４にはカール対象のまつ毛を受け入れる溝４ｃを多数刻設するのが望ましい。カール対象のまつ毛に理想的な指向性を付与するためである。なお、多数の溝４ｃは図示の如く、並列して設ける他、放射状に広がるように設けても良い。さらに、施術面４には複数のスリット４ｄを設けて、上瞼、ひいてはまつ毛の立体形状に適切に追随できるようにする。
【００２３】
好ましくは、図４等に示すように、壁体部３の自由端部には、後述する固定手段７の楔部７Ｂと嵌合するフランジ部３ａを設ける。当該フランジ部３ａは、図４に示すように、支持壁部６の先端部に係合可能にし、壁体部３を回動開始する際に手指で把持し易くする。又は、図７に示すように、当該フランジ部３ａを後述する支持壁部６の支持面６ａに支持されるようにし、代わりに把手部３ｂを設けて壁体部３の回動開始の際に手指で把持し易くする。
【００２４】
図６・図７中の７は、壁体部３の回動位置を固定する固定手段を示している。詳述すると、固定手段７は、図４乃至図７に示すように、壁体部３の背面５と該壁体部３の近傍に設けられた支持壁部６の支持面６ａ間に画成された楔受入間隙７Ａと、該楔受入間隙７Ａ内に挿入する楔部７Ｂとで構成されている。なお、支持壁部６は、好ましくは図示するように、基端部側を太くして確実に楔部７Ｂ、ひいては壁体部３を支持して固定できるようにする。
【００２５】
図５に示すように、楔部７Ｂは、支持壁部６の支持面６ａに支持される被支持面７Ｂａと、壁体部３の背面５と対峙する傾斜面部７Ｂｂを備える先細り形状を呈し、該傾斜面部７Ｂｂには、壁体部３のフランジ部３ａと嵌合する嵌合凹部７Ｂｃを複数有する構成となっている。よって、図６・図７に示すように、壁体部３のフランジ部３ａと嵌合する嵌合凹部７Ｂｃを変えることによって壁体部３の回動位置を変更することができる一方、当該壁体部３の回動位置を確実に固定することができる。
【００２６】
なお、図１乃至図４中の８は、まつ毛用カーラー１の固定を補完する舌片部であり、カーラー固定箇所、つまり被施術者の下瞼の立体形状に追随できるように、スリット８ａを設けることが望ましい。また、スリット８ａは好ましくは、基部２まで到達するように設け、基部２自体も被施術者の下瞼の凹凸に追随できるようにする。
【００２７】
〈実施例２のまつ毛用カーラー〉
実施例２に係るまつ毛用カーラー１は、図１１乃至図１３に示すように、実施例１のカーラーと同様に、被施術者の下瞼に固定する基部２と、該基部２に立設された壁体部３を備える。そして、壁体部３は基部２と離間する方向へ回動可能であり、上瞼側に回動することができる。また、壁体部３の回動方向前方の面を施術面４とし、当該施術面４は施術時に上瞼に対向する点も実施例１のカーラーと同様である。
【００２８】
本実施例においても、基部２及び壁体部３をゴム、シリコン等の可撓性及び弾性を有する材で成形し、その可撓性及び弾性を利用して壁体部３を回動可能且つ湾曲変形可能とする。また、図１１・図１３（Ａ）・（Ｂ）に示すように、壁体部３の施術面４とは反対面である背面５には突条５ｂを設けることにより、後述するように、壁体部３を粘着テープで固定する際に、該粘着テープと突条５ｂが係合して確実に壁体部３を固定することができる。なお、本実施例のまつ毛用カーラー１は、実施例１とは異なり、壁体部３が薄く、容易に変形できるので、実施例１のような固定手段７を設ける必要はなく、上述のように粘着テープで固定することができる。
【００２９】
本実施例においては、壁体部３の施術面４は、図１３に示すように、壁体部３の回動前は垂直平面状ではあるが、壁体部３が回動すると共に湾曲変形することにより凹曲面となり、後述するように、カール対象のまつ毛１０が生えている上瞼１１に自然に対向する。また、図１２・図１３に示すように、施術面４はスリット４ｄを設けることにより、上瞼の凹凸形状や上瞼に生えているまつ毛の生え位置に適切に対応できる
【００３０】
また、本実施例のまつ毛用カーラー１においても、具体的には図示しないが、施術面４に溝４ｃを刻設することができる。また、図１１乃至図１３中の９は、液だれ防止片であり、まつ毛に塗布するカール剤等の薬液がまつ毛を伝って目の中に入るのを防止するものである。
【００３１】
なお、本実施例のまつ毛用カーラー１においては、実施例１のように舌片部８を設ける必要はなく、図１１乃至図１３に示すように、基部２自体が舌片状であり、基部２全体にスリット２ａを設けて、被施術者の下瞼の立体形状に追随することができる。
【００３２】
〈まつ毛のカール方法〉
次に本発明に係るまつ毛のカール方法について説明する。
【００３３】
カール対象のまつ毛をカールするにあたっては、まつ毛用カーラー１の基部２を被施術者の下瞼１３（その下の頬に亘る場合含む）に固定する。被施術者は仰向けに寝た状態で施術を受けるため、基部２をゴムやシリコン等で成形している場合、置くだけで固定できるが、当該固定を補完するために、図１乃至図４に示す実施例１のカーラー１を用いる場合には舌片部８を粘着テープで固定し、図１１乃至図１３に示す実施例２のカーラー１を用いる場合には基部２自体を粘着テープで固定する。
【００３４】
次いで、カール対象のまつ毛１０に当該まつ毛を軟化させるカール剤を塗布した後、図９（Ａ）に示すように、壁体部３を上瞼１１の上位まで回動させて、該壁体部３の施術面４をカール対象のまつ毛１０が生えている上瞼１１に対向させる。そして、カール対象のまつ毛１０の先端部を施術面４に摺接させてカールさせる。なお、カール対象のまつ毛１０の根元側はピンセット等の器具により、図９（Ａ）に示すように、まっすぐにし、各まつ毛１０ａ・１０ｂ・１０ｃの根元からカール箇所までの長さＬを均一にする。また、図中の１２は被施術者の鼻である。
【００３５】
換言すると、本発明に係るカール方法にあっては、被施術者の上瞼１１が開いた状態で壁体部３を回動し、当該壁体部３でカール対象のまつ毛１０及び上瞼１１を間隔を置いて覆って、当該上瞼１１、ひいてはまつ毛１０と施術面４とを対向させ、被施術者が上瞼１１を閉じることにより、施術面４に接したまつ毛１０の先端部が当該施術面４に摺りながら方向付けられ、まつ毛１０がカールする。又は、被施術者が上瞼１１を閉じた後、壁体部３を回動して施術面４にカール対象のまつ毛１０を摺接させながら当該まつ毛１０を根元部からカールさせる。よって、いずれにしても、接着剤によるまつ毛の固定は不要であり、施術面４にまつ毛１０を摺接させるだけで当該まつ毛１０をカールさせることができる。なお、施術面４に溝４ｃを刻設している場合には、上記のようにまつ毛１０がカールする過程でまつ毛１０は施術面４の溝４ｃに受け入れられ、所望の方向に方向付けられる。
【００３６】
所望の位置まで回動し又は変形した壁体部３は固定され、該壁体部３の施術面４が固定される。図１乃至図４に示す実施例１のカーラー１を用いる場合には、既述した固定手段７により壁体部３を固定する。なお、図９（Ａ）・図１０においては、楔部７Ｂを省略して描いている。また、図１１乃至図１３に示す実施例２のカーラー１を用いる場合には、壁体部３を背面５の突条５ｂを利用しながら粘着テープで固定する。
【００３７】
本発明のカール方法にあっては、図９（Ａ）に示すように、カール対象のまつ毛１０が上段に生えているまつ毛１０ａ、中段に生えているまつ毛１０ｂ、下段に生えているまつ毛１０ｃのように、生え位置が異なっていても、これらまつ毛１０の根元からカール箇所（施術面４）までの長さＬを同一にすることができる。よって、カール対象のまつ毛１０の生え位置にかかわらず、カール箇所を均一にすることができる。
【００３８】
そして、図９（Ａ）に示す状態のまま、１０分ほど放置してカール対象のまつ毛１０の軟化を確認した後、カール剤を除去しつつ、軟化したまつ毛１０を元の硬さに復帰させるために中和剤を塗布する。その後、１０〜１２分ほど放置した後、中和剤を精製水を含ませたコットン等で除去する。これにより、図９（Ｂ）に示すように、カール対象のまつ毛１０を均一な箇所でカールさせた仕上がりとすることができる。このように均一な箇所でカールさせることは、ボリューム感アップにもつながる。
【００３９】
なお、本発明のカール方法にあっては、図９（Ａ）に示すように、カール対象のまつ毛１０の根元側をピンセット等の器具によりまっすぐにする他、図１０（Ａ）に示すように、撓ませてカールさせることや、図１０（Ｂ）に示すように、各まつ毛１０ａ・１０ｂ・１０ｃの根元からカール箇所までの長さを敢えて不均一にしてカールさせることや、図１４に示すように、カール対象のまつ毛１０の根元部から強制的にカールさせることも可能である。よって、カール対象のまつ毛１０の根元部を自由に変形させることができる。
【００４０】
また、本発明のカール方法にあっては、図１５，図１６に示すように、本発明に係るカーラー１のみではなく、パーマロッド２０を用いることにより、さらに適切且つ確実なカール方法を実現できる。すなわち、パーマロッド２０の施術面２１によって、カール対象のまつ毛１０を下支えしつつ、該パーマロッド２０側（上瞼１１側）にカーラー１の壁体部３を回動させることにより、当該回動する壁体部３の施術面４がまつ毛１０をカールさせることができる。よって、まつ毛１０が不用意に動いたり変形したりするのを適切に防ぎながら、まつ毛１０を根元部から確実にカールさせることができる。また、最終的にパーマロッド２０の施術面２１とカーラー１の施術面４でカール対象のまつ毛１０を挾持することにより、確実なカール状態を付与することができる。
【００４１】
既述したカール方法において、パーマロッドとしては、図１７（Ａ）に示した従来の形状のものを用いることもできるが、好ましくは、図１５，図１６に示す特殊形状を備えた専用のパーマロッド２０であることが好ましい。詳述すると、図１５，図１６に示すパーマロッド２０は、上瞼１１に固定する固定面部２０ａと、下瞼１３側に向けて膨らんだ膨出部２０ｂを備え、まつ毛１０側に露出している外表面を施術面２１とする構成を有している。このように、膨出部２０ｂを備えることにより、該膨出部２０ｂの形状に伴い張り出した施術面２１がまつ毛１０の根元部に対峙し、適切にまつ毛１０を下支えすることができると共に、確実にまつ毛１０の根元部をカールさせることができる。
【００４２】
また、図１６に示すパーマロッド２０は、図１５に示すものとは異なり、施術面２１に角部２１ａや平面部２１ｂを設けており、たとえばカーラー１の施術面４によって角部２１ａや平面部２１ｂにまつ毛１０を押し付ければ、確実なカール状態を付与することができる。
【００４３】
なお、具体的には図示しないが、既述したカーラー１の施術面４に設けた溝４ｃのように、専用パーマロッド２０の施術面２１にまつ毛１０を受け入れる溝を刻設することもできる。
【００４４】
以上のとおり、本発明に係るまつ毛のカール方法によれば、施術面４を有する壁体部３を下瞼１３側から上瞼１１を覆うように回動するだけで、接着剤を使用することなくカール状態を形成することができると共に、まつ毛の長さや生え位置に起因するカール状態のバラツキを有効に解消することができる。
【００４５】
また、本発明に係るまつ毛用カーラー１によれば、上述した本発明に係るカール方法を容易且つ適切に実施することができる。
【００４６】
なお、本発明に係るまつ毛用カーラー１にあっては、施術面４を有する壁体部３を下瞼１３側から上瞼１１側に回動させ、該施術面４をカール対象のまつ毛１０が生えている上瞼１１に対向させることができれば、回動手段や回動位置の固定手段は既知の手段を用いることができる。
【符号の説明】
【００４７】
１…まつ毛用カーラー
２…基部、２ａ…スリット
３…壁体部、３ａ…フランジ部、３ｂ…把手部
４…施術面、４ａ…第一曲面部、４ｂ…第二曲面部、４ｃ…溝、４ｄ…スリット
５…背面、５ａ…凹凸部、５ｂ…突条
６…支持壁部、６ａ…支持面、
７…固定手段、７Ａ…楔受入間隙、７Ｂ…楔部、７Ｂａ…被支持面、７Ｂｂ…傾斜部、
７Ｂｃ…嵌合凹部
８…舌片部、８ａ…スリット
９…液だれ防止片
１０…カール対象のまつ毛、１０ａ…上段のまつ毛、１０ｂ…中段のまつ毛、
１０ｃ…下段のまつ毛
１１…上瞼
１２…鼻
１３…下瞼
２０…ロッド、２０ａ…固定面部、２０ｂ…膨出部
２１…施術面、２１a…角部、２１ｂ…平面部
Ｌ、Ｌ１、Ｌ２、Ｌ３…まつ毛の根元からカール箇所までの長さ
Ｐ…パーマロッド
【要約】
【課題】  下瞼側から行う画期的な方法により、接着剤を使用することなくカール状態を形成することができ、まつ毛の長さや生え位置に起因するカール状態のバラツキを有効に解消することができると共に、カール対象のまつ毛を根元から確実にカールさせることができるカール方法の提供。
【解決手段】  本発明に係るまつ毛のカール方法は、被施術者の下瞼１３に固定する基部２と、該基部２に立設され上瞼１１側へ回動可能な壁体部３とを備え、該壁体部３の回動方向前方の面を施術面４とするまつ毛用カーラー１を用い、上記壁体部３を上瞼１１の上位まで回動させ上記施術面４を上瞼１１に対向させて、カール対象のまつ毛１０のカール状態を形成することを特徴とする。
【選択図】  図９【図１】
0006762639.tif 000002
【図２】
0006762639.tif 000003
【図３】
0006762639.tif 000004
【図４】
0006762639.tif 000005
【図５】
0006762639.tif 000006
【図６】
0006762639.tif 000007
【図７】
0006762639.tif 000008
【図８】
0006762639.tif 000009
【図９】
0006762639.tif 000010
【図１０】
0006762639.tif 000011
【図１１】
0006762639.tif 000012
【図１２】
0006762639.tif 000013
【図１３】
0006762639.tif 000014
【図１４】
0006762639.tif 000015
【図１５】
0006762639.tif 000016
【図１６】
0006762639.tif 000017
【図１７】
0006762639.tif 000018